(57)【要約】【課題】バックアップ電源の消費を抑制する。【解決手段】停電発生時にバックアップ電源としてのバッテリ１０２に切り替えて電力の供給を継続する電源部１００を有する自動取引装置１において、紙幣を搬送する第１の紙幣搬送経路と、その第１の紙幣搬送経路より電力消費量が少ない第２の紙幣搬送経路とを有し、電源部１００から供給された電力により駆動部を駆動して第１の紙幣搬送経路または第２の紙幣搬送経路で紙幣を搬送する紙幣搬送部２１０と、電源部１００がバッテリ１０２に切り替わったことを検知すると、紙幣を搬送する経路を第１の紙幣搬送経路から第２の紙幣搬送経路に切り替える制御部２２０とを備えた。【選択図】        図２
2014096073.tif 000002
【特許請求の範囲】
【請求項１】
停電発生時にバックアップ電源に切り替えて電力の供給を継続する電源部を有する自動取引装置において、
紙幣を搬送する第１の紙幣搬送経路と、前記第１の紙幣搬送経路より電力消費量が少ない第２の紙幣搬送経路とを有し、前記電源部から供給された電力により駆動部を駆動して前記第１の紙幣搬送経路または前記第２の紙幣搬送経路で紙幣を搬送する紙幣搬送部と、
前記電源部がバックアップ電源に切り替わったことを検知すると、紙幣を搬送する経路を前記第１の紙幣搬送経路から前記第２の紙幣搬送経路に切り替える制御部とを備えたことを特徴とする自動取引装置。
【請求項２】
請求項１に記載の自動取引装置において、
前記第１の紙幣搬送経路および前記第２の紙幣搬送経路は紙幣の入金のための搬送経路であり、
前記第１の紙幣搬送経路は、接客ユニットの紙幣搬送路と、紙幣鑑別部ユニットの紙幣搬送路と、カセット部搬送ユニットの紙幣搬送路とを含んで構成され、
前記第２の紙幣搬送経路は、前記接客ユニットの紙幣搬送路と、前記紙幣鑑別部ユニットの紙幣搬送路とにより構成されていることを特徴とする自動取引装置。
【請求項３】
請求項１に記載の自動取引装置において、
前記第１の紙幣搬送経路および前記第２の紙幣搬送経路は紙幣の出金のための搬送経路であり、
前記第１の紙幣搬送経路は、接客ユニットの紙幣搬送路と、紙幣鑑別部ユニットの紙幣搬送路と、カセット部搬送ユニットの紙幣搬送路とを含んで構成され、
前記第２の紙幣搬送経路は、前記カセット部搬送ユニットの紙幣搬送路と、前記紙幣鑑別部ユニットの紙幣搬送路とにより構成されていることを特徴とする自動取引装置。
【請求項４】
請求項１から請求項３のいずれか１項に記載の自動取引装置において、
前記第２の紙幣搬送経路は、前記第１の紙幣搬送経路より駆動部の数が少ないことを特徴とする自動取引装置。
【請求項５】
請求項１から請求項４のいずれか１項に記載の自動取引装置において、
前記制御部は、取引中に前記電源部がバックアップ電源に切り替わったことを検知すると、前記第２の紙幣搬送経路を使用して搬送した紙幣の情報を停電中取引情報として記憶部に記憶しておき、停電が解除されると前記停電中取引情報を上位装置へ通知して前記取引を成立させることを特徴とする自動取引装置。
【発明の詳細な説明】
【技術分野】
【０００１】
本発明は、自動取引装置に関し、特に利用者の操作中に停電などにより電源の供給が停止した場合であってもバッテリ等のバックアップ電源により動作する自動取引装置に関する。
【背景技術】
【０００２】
従来の自動取引装置は、紙幣入出金ユニット、硬貨入出金ユニット、通帳印字ユニット等の各ユニットで構成され、停電発生時に、入出金取引や記帳取引等の取引を行うとき、取引に不必要なユニットの電源の供給を停止してバッテリ電源の消費を抑え、取引を継続するようにしているものがある（例えば、特許文献１参照）。
【先行技術文献】
【特許文献】
【０００３】
【特許文献１】特開２００２−１８３８０５号公報（段落「００１３」〜段落「００１７」、図２）
【発明の概要】
【発明が解決しようとする課題】
【０００４】
しかしながら、上述した従来の技術においては、ユニット単位でバッテリ電源の供給を停止するようにしているため、例えば多枚数の紙幣を扱う入出金取引を行っているときに停電が発生すると、停電発生後に紙幣入出金ユニットが多枚数の紙幣を搬送しなければならず、長時間にわたって紙幣入出金ユニットが動作することになり、多くのバッテリ電源を消費してしまうため、紙幣入出金ユニットやその他のユニットが動作を継続するための充分なバックアップ電源を確保できず、また充分なバックアップ電源を確保するために大容量のバッテリ電源を搭載しなければならないという問題がある。
本発明は、このような問題を解決することを課題とし、バックアップ電源の消費を抑制することを目的とする。
【課題を解決するための手段】
【０００５】
そのため、本発明は、停電発生時にバックアップ電源に切り替えて電力の供給を継続する電源部を有する自動取引装置において、紙幣を搬送する第１の紙幣搬送経路と、前記第１の紙幣搬送経路より電力消費量が少ない第２の紙幣搬送経路とを有し、前記電源部から供給された電力により駆動部を駆動して前記第１の紙幣搬送経路または前記第２の紙幣搬送経路で紙幣を搬送する紙幣搬送部と、前記電源部がバックアップ電源に切り替わったことを検知すると、紙幣を搬送する経路を前記第１の紙幣搬送経路から前記第２の紙幣搬送経路に切り替える制御部とを備えたことを特徴とする。
【発明の効果】
【０００６】
このようにした本発明は、バックアップ電源の消費を抑制することができるという効果が得られる。
【図面の簡単な説明】
【０００７】
【図１】実施例における紙幣搬送部の構成を示す説明図
【図２】実施例における自動取引装置の構成を示すブロック図
【図３】実施例における紙幣入金処理の流れを示すフローチャート
【図４】実施例における紙幣入金動作を示す説明図
【図５】実施例における停電発生時の紙幣入金処理の流れを示すフローチャート
【図６】実施例における停電発生時の紙幣入金動作を示す説明図
【図７】実施例における紙幣出金動作を示す説明図
【図８】実施例における停電発生時の紙幣出金処理の流れを示すフローチャート
【図９】実施例における停電発生時の紙幣出金動作を示す説明図
【発明を実施するための形態】
【０００８】
以下、図面を参照して本発明による自動取引装置の実施例を説明する。
【実施例】
【０００９】
図２は実施例における自動取引装置の構成を示すブロック図である。
図２において、自動取引装置１は、停電発生時にバックアップ電源に切り替えて電力の供給を継続する電源部１００と、紙幣入出金ユニット２００とを備え、上位装置としてのホストコンピュータ２と通信回線を介して通信可能に接続されている。この自動取引装置１は、顧客の操作を受け付けてホストコンピュータ２との通信を行い、紙幣の入出金取引を行うものである。
なお、本実施例では、自動取引装置１は、紙幣入出金ユニット２００のみを備えたものとして説明するが、紙幣入出金ユニット２００に加えて、硬貨の入出金取引を行う硬貨入出金ユニット、通帳記帳取引を行う通帳印字ユニット等を備えたものであってもよい。
【００１０】
電源部１００は、外部から供給される交流電源を直流電源に変換した後、紙幣入出金ユニット２００へ電源を供給する商用電源としての装置電源１０１と、外部からの交流電源の供給が遮断されたときに紙幣入出金ユニット２００へ直流電源を供給するバックアップ電源としてのバッテリ１０２とを備え、停電発生時に装置電源１０１からバックアップ電源１０２に切り替えて電力の供給を継続する。
紙幣入出金ユニット２００は、紙幣の入出金を行うために紙幣を搬送する紙幣搬送部２１０と、ＣＰＵ（Ｃｅｎｔｒａｌ  Ｐｒｏｃｅｓｓｉｎｇ  Ｕｎｉｔ）等で構成され、紙幣搬送部２１０の動作を制御する制御部２２０とを備えている。
【００１１】
紙幣搬送部２１０は、電源部１００から供給された電力により駆動部としてのアクチュエータを駆動して紙幣搬送経路で紙幣を搬送するものである。紙幣搬送部２１０は、入金処理および出金処理のそれぞれにおいて、紙幣搬送経路を２つ以上有しており、２つのうち一方の紙幣搬送経路は、装置電源１０１から電源が供給されているときに動作可能な第１の紙幣搬送経路であり、他方の紙幣搬送経路は、停電発生後にバッテリ１０２からの電源供給により動作可能な第１の紙幣搬送経路よりアクチュエータの動作が少ない、すなわち第１の紙幣搬送経路より電力消費量が少ない第２の紙幣搬送経路である。
【００１２】
制御部２２０は、停電等の発生により電源部１００が装置電源１０１からバッテリ１０２に切り替わったことを検知すると、紙幣を搬送する経路を第１の紙幣搬送経路から第２の紙幣搬送経路に切り替える紙幣搬送経路切替手段である。この制御部２２０は、第１の紙幣搬送経路と第２の紙幣搬送経路とを切り替えることができるようになっており、入出金処理中に電源部１００が装置電源１０１からバッテリ１０２に切り替ったことを検知、すなわち停電が発生したことを検知すると、第１の紙幣搬送経路から第２の紙幣搬送経路に切り替えて、紙幣入出金ユニット２００でのバッテリ１０２の電力消費量を抑制する。
【００１３】
制御部２２０は、メモリ等で構成され、入出金された紙幣に関する情報や制御プログラム（ソフトウェア）等を記憶する記憶部２２１を備えている。制御部２２０は、記憶部に記憶された制御プログラムに基づいて紙幣入出金ユニット２００全体の動作を制御する。
制御部２２０は、少なくとも紙幣入出金ユニット２００全体の動作を制御する演算手段および制御手段であるが、上述した自動取引装置１全体を制御する主制御部と共通化したものでもよい。
【００１４】
図１は実施例における紙幣搬送部の構成を示す説明図である。
図１において、紙幣搬送部２１０は、紙幣の受け渡しを行う接客口３０１を備えた接客ユニット３００と、紙幣を鑑別する紙幣鑑別部３０３を備えた紙幣鑑別部搬送ユニット３０２と、リジェクト媒体収納庫３０４と、取り忘れ媒体収納庫３０５と、カセット部搬送ユニット３０６と、収納カセット３０７ａ、３０７ｂ、３０７ｃ、３０７ｄとにより構成され、紙幣の入金処理、出金処理等を行う。
【００１５】
ここで、入金処理とは、紙幣搬送部２１０の紙幣受け渡し口である紙幣入金部としての接客ユニット３００の接客口３０１から投入された紙幣を繰出して計数等し、収納カセット３０７ａ、３０７ｂ、３０７ｃ、３０７ｄへ収納する処理であり、出金処理とは、収納カセット３０７ａ、３０７ｂ、３０７ｃ、３０７ｄに収納されている紙幣を繰出して計数等し、接客口３０１へ集積させ、顧客に払い出す処理である。
【００１６】
接客ユニット３００の接客口３０１は、顧客の操作により投入された入金紙幣を受け入れて集積する投入口であり、また、顧客へ出金する出金紙幣を集積する出金口であり、顧客との間で紙幣の受け渡しを行う部位である。投入された入金紙幣は、分離ローラ等の分離機構（分離手段）で１枚ずつ分離して紙幣搬送路へ繰り出すことができ、また、紙幣搬送路で搬送された出金紙幣を集積ローラ等の集積機構（集積手段）で集積することができる。
【００１７】
紙幣鑑別部搬送ユニット３０２の紙幣鑑別部３０３は、接客口３０１と、収納カセット３０７ａ、収納カセット３０７ｂ、収納カセット３０７ｃ、収納カセット３０７ｄ、およびリジェクト媒体収納庫３０４との間の紙幣搬送路上に配置されている。この紙幣鑑別部３０３は、光反射センサや光透過センサを備え、それらのセンサにより、搬送される紙幣の表裏両面の画像データ等を収得し、その画像データ等と紙幣鑑別データベースに予め登録されている画像データ等を照合して紙幣の真偽、正損、金種等の鑑別および計数を行う。
【００１８】
収納カセット３０７ａ、収納カセット３０７ｂ、収納カセット３０７ｃ、および収納カセット３０７ｄは、カセット部搬送ユニット３０６により搬送された紙幣を集積するもので、内部に配置されたステージが昇降機構により上下動し、集積ローラ等の集積機構（集積手段）により収納される紙幣はこのステージ上に集積される。
また、各収納カセットに収納された紙幣は、上昇するステージにより収納カセット３０７ａ、収納カセット３０７ｂ、収納カセット３０７ｃ、および収納カセット３０７ｄの上方に設けられた分離機構としての分離ローラへ押圧され、その分離ローラを回転させることにより当接した紙幣を１枚ずつ分離してカセット部搬送ユニット３０６へ繰り出すことができる。
【００１９】
収納カセット３０７ａ、収納カセット３０７ｂ、収納カセット３０７ｃ、および収納カセット３０７ｄは、万券、五千券、および千券の紙幣をそれぞれ金種別に収納する紙幣カセットとしてのリサイクルカセットである。収納カセット３０７ａ、収納カセット３０７ｂ、収納カセット３０７ｃ、および収納カセット３０７ｄは、入金処理において紙幣鑑別部３０３で正券と鑑別された紙幣を収納し、出金処理では収納されている紙幣を出金する。
【００２０】
収納カセット３０７ａ、収納カセット３０７ｂ、収納カセット３０７ｃ、および収納カセット３０７ｄは、その上部に収納カセット内に収納した紙幣が満杯であることを検知するセンサ等の満杯検知手段をそれぞれ備えており、満杯検知手段で満杯が検知されたカセットには紙幣を収納しないように制御される。
なお、収納カセット３０７ａ、収納カセット３０７ｂ、収納カセット３０７ｃ、および収納カセット３０７ｄは、本実施例では、それぞれ同一構造となっている。
【００２１】
接客ユニット３００、紙幣鑑別部搬送ユニット３０２、およびカセット部搬送ユニット３０６は、ユニット毎に、紙幣を搬送する搬送路およびローラ等を回転させるアクチュエータとしてのモータ等を有し、接客ユニット３００と紙幣鑑別部搬送ユニット３０２とが隣接して配設され、また紙幣鑑別部搬送ユニット３０２とカセット部搬送ユニット３０６とが隣接して配設されている。
【００２２】
紙幣搬送部２１０は、ベルト対またはローラ対で紙幣の表裏両面を挟持し、搬送する紙幣の搬送速度を任意に設定可能なモータ等の駆動手段により接客ユニット３００内の紙幣搬送路３００ａ、紙幣鑑別部搬送ユニット３０２内の紙幣搬送路３０２ａ、カセット部搬送ユニット３０６内の紙幣搬送路３０６ａを制御し、紙幣を搬送する動作を行う。
また、収納カセット３０７ａ、収納カセット３０７ｂ、収納カセット３０７ｃ、および収納カセット３０７ｄは、紙幣を収納および搬出するアクチュエータとしてのモータ等を備えている。
なお、リジェクト媒体収納庫３０４および取り忘れ媒体収納庫３０５には、紙幣を収納および搬出するアクチュエータとしてのモータ等は備えていない。
【００２３】
紙幣搬送路３００ａ、３０２ａ、３０６ａは、接客口３０１と、紙幣鑑別部３０３と、収納カセット３０７ａ、３０７ｂ、３０７ｃ、３０７ｄと、リジェクト媒体収納庫３０４および取り忘れ媒体収納庫３０５とを結んでいる。
これら紙幣搬送路３００ａ、３０２ａ、３０６ａの各分岐点には紙幣の搬送方向を２方向または３方向に分岐させる図示しない切替ブレードが設けてあり、その切替ブレードを制御することによって紙幣の搬送先を切り替えることができ、紙幣鑑別部３０３での鑑別結果等に応じて紙幣の搬送方向を切り替える。
【００２４】
入金処理では、第１の紙幣搬送経路は、接客ユニット３００の紙幣搬送路３００ａと、紙幣鑑別部ユニット３０２の紙幣搬送路３０２ａと、カセット部搬送ユニット３０６の紙幣搬送路３０６ａとを含んで構成される。これに対して、第２の紙幣搬送経路は、接客ユニット３００の紙幣搬送路３００ａと、紙幣鑑別部ユニット３０２の紙幣搬送路３０２ａとにより構成される。
【００２５】
また、出金処理では、第１の紙幣搬送経路は、接客ユニット３００の紙幣搬送路３００ａと、紙幣鑑別部ユニット３０２の紙幣搬送路３０２ａと、カセット部搬送ユニット３０６の紙幣搬送路３０６ａとを含んで構成される。これに対して、第２の紙幣搬送経路は、紙幣鑑別部ユニット３０２の紙幣搬送路３０２ａと、カセット部搬送ユニット３０６の紙幣搬送路３０６ａとにより構成される。
このように第２の紙幣搬送経路は、第１の紙幣搬送経路より駆動部の数が少なく構成されている。
【００２６】
リジェクト媒体収納庫３０４は、入金処理または出金処理において、紙幣と鑑別できなかったリジェクト紙幣や循環使用しない金種の紙幣（例えば、二千券）等を収納する収納庫であって、搬送された紙幣を収納する機能を有している。
取り忘れ媒体収納庫３０５は、出金処理において接客口３０１に集積した出金紙幣が取り忘れられた場合、その出金紙幣を収納する収納庫であって、搬送された紙幣を収納する機能を有している。
【００２７】
上述した構成の作用について説明する。
まず、自動取引装置が行う入金処理を図３の実施例における紙幣入金処理の流れを示すフローチャートの図中Ｓで表すステップにしたがって図２および図４を参照しながら説明する。
Ｓ１：自動取引装置１の制御部２２０は、接客ユニット３００の接客口３０１を解放し、顧客の操作により紙幣が投入されることを待機し、投入された紙幣をセンサ等により検知すると接客口３０１を閉塞する。
Ｓ２：制御部２２０は、紙幣搬送部２１０により、接客口３０１に投入された紙幣を接客ユニット３００から紙幣鑑別部搬送ユニット３０２へ搬送する。
Ｓ３：制御部２２０は、紙幣鑑別部３０３により紙幣の鑑別を行う。
【００２８】
Ｓ４：制御部２２０は、紙幣鑑別部３０３による紙幣の鑑別結果が正常な紙幣であるか否かの判定を行い、正常な紙幣であると判定すると紙幣鑑別部搬送ユニット３０２およびカセット部搬送ユニット３０６により、図４の矢印４００が示す第１の紙幣搬送経路を使用し、紙幣を鑑別結果に応じて収納カセット３０７ａ、３０７ｂ、３０７ｃ、３０７ｄのいずれかへ搬送し、処理をＳ５へ移行する。一方、制御部２２０は、紙幣鑑別部３０３による紙幣の鑑別結果が正常な紙幣でない、すなわち異常な紙幣であると判定すると紙幣鑑別部搬送ユニット３０２により、図４の矢印４００が示すように、紙幣をリジェクト媒体収納庫３０４へ搬送し、処理をＳ６へ移行する。
【００２９】
Ｓ５：鑑別結果が正常な紙幣であると判定した制御部２２０は、収納カセット３０７ａ、３０７ｂ、３０７ｃ、３０７ｄのモータ等のアクチュエータを動作させてカセット部搬送ユニット３０６により搬送された紙幣を収納カセット３０７ａ、３０７ｂ、３０７ｃ、３０７ｄに収納し、本処理を終了する。
Ｓ６：一方、鑑別結果が異常な紙幣であると判定した制御部２２０は、紙幣鑑別部搬送ユニット３０２により搬送された紙幣をリジェクト媒体収納庫３０４に収納し、本処理を終了する。
なお、接客口３０１に投入された紙幣が複数存在する場合は、接客口３０１に投入された紙幣がすべて搬送されるまで、Ｓ２〜Ｓ６の処理が繰り返して行われる。
【００３０】
次に、入金処理中に停電が発生した場合の自動取引装置が行う入金処理を図５の実施例における停電発生時の紙幣入金処理の流れを示すフローチャートの図中Ｓで表すステップにしたがって図２および図６を参照しながら説明する。
Ｓ１１：自動取引装置１の制御部２２０は、入金処理の動作中に停電が発生すると、装置電源１０１による電源供給からバッテリ１０２による電源供給に切り替わったことを検知、または電源部１００より電源装置１０１からバッテリ１０２による電源供給に切り替わった旨の通知を受ける。
Ｓ１２：装置電源１０１による電源供給からバッテリ１０２による電源供給に切り替わったことを検知または通知を受けた制御部２２０は、接客口３０１に残っている紙幣の有無を検知する。
【００３１】
ここで、制御部２２０は、リジェクト媒体収納庫３０４方向または収納カセット３０７ａ、３０７ｂ、３０７ｃ、３０７ｄ方向のどちらか一方向へ紙幣搬送方向を切り替える切替ブレードをリジェクト媒体収納庫３０４方向に切り替えて紙幣鑑別部３０３を通過する紙幣がすべてリジェクト媒体収納庫３０４へ搬送されるようにする。
このように、装置電源１０１による電源供給からバッテリ１０２による電源供給に切り替わったことを検知または通知を受けた直後に、制御部２２０が切替ブレードをリジェクト媒体収納庫３０４方向に切り替えるのは接客口３０１に紙幣が残っていなくても紙幣搬送経路上に紙幣が残っている場合があるためである。
【００３２】
なお、装置電源１０１による電源供給からバッテリ１０２による電源供給に切り替わった時点で、リジェクト媒体収納庫３０４方向への分岐点を通過して、既に紙幣搬送路３０６ａ方向へ搬送されている紙幣については、そのまま鑑別結果に基づいて収納カセット３０７ａ、３０７ｂ、３０７ｃ、３０７ｄへ収納される。
制御部２２０は、接客口３０１に紙幣が無いことを検知した場合、紙幣搬送経路上に残っているすべての紙幣をリジェクト媒体収納庫３０４へ搬送して本処理を終了し、または紙幣搬送経路上に紙幣が残っていない場合は本処理を終了する。
一方、制御部２２０が、接客口３０１に紙幣が有ることを検知した場合、処理をＳ１３へ移行する。
【００３３】
Ｓ１３：紙幣搬送部２１０により、接客口３０１の紙幣を接客ユニット３００から紙幣鑑別部搬送ユニット３０２へ搬送する。
Ｓ１４：制御部２２０は、紙幣鑑別部３０３により紙幣の鑑別を行う。
Ｓ１５：制御部２２０は、紙幣鑑別部３０３による紙幣の鑑別結果が正常な紙幣であるか否かの判定を行い、正常な紙幣であると判定すると処理をＳ１６へ移行し、紙幣の鑑別結果が正常な紙幣でない、すなわち異常な紙幣であると判定すると処理をＳ１７へ移行する。
【００３４】
ここで、制御部２２０は、紙幣の鑑別結果に関わらずすべての紙幣を紙幣鑑別部搬送ユニット３０２により、図６の矢印４０１が示す第２の紙幣搬送経路を使用し、リジェクト媒体収納庫３０４へ搬送する。このとき、制御部２２０は、カセット部搬送ユニット３０６および収納カセット３０７ａ、３０７ｂ、３０７ｃ、３０７ｄのモータ等のアクチュエータを動作させることなく、停止させておく。
Ｓ１６：鑑別結果が正常な紙幣であると判定した制御部２２０は、鑑別結果を正常紙幣情報とし、処理をＳ１８へ移行する。
Ｓ１７：一方、鑑別結果が異常な紙幣であると判定した制御部２２０は、鑑別結果を異常紙幣情報とし、処理をＳ１８へ移行する。
【００３５】
Ｓ１８：制御部２２０は、鑑別した紙幣の鑑別結果である正常紙幣情報、異常紙幣情報を停電中取引情報として記憶部２２１に記憶する。この停電中取引情報は、停電により自動取引装置１がホストコンピュータ２と通信できないときに記憶部２２１に保存される情報であり、停電が復旧した後、ホストコンピュータ２へ送信し、ホストコンピュータ２の取引データと整合させるためのものである。
Ｓ１９：制御部２２０は、接客口３０１の紙幣の有無を判定し、接客口３０１に紙幣が残っていると判定すると処理をＳ１３へ移行してＳ１３〜Ｓ１８の処理を繰り返し、接客口３０１に紙幣が無くなったと判定すると処理をＳ２０へ移行する。
Ｓ２０：制御部２２０は、紙幣鑑別部搬送ユニット３０２により搬送されたすべての紙幣をリジェクト媒体収納庫３０４に収納し、本処理を終了する。
【００３６】
なお、停電により自動取引装置１がホストコンピュータ２と通信できなかったときは、記憶部２２１に記憶していた停電中取引情報をホストコンピュータ２に送信する処理を行う。すなわち、制御部２２０は、停電が復旧してホストコンピュータ２との通信が再開されると、バッテリ１０２の電源供給から装置電源１０１の電源供給に切り替わったことを検知、またはバッテリ１０２から電源部１００の電源供給に切り替わった旨の通知を受けることで、記憶部２２１に記憶した停電中取引情報に基づいてホストコンピュータ２に記憶されている取引情報を更新し、当該取引を成立させる。すなわち、制御部２２０は、取引中に電源部１００がバッテリ１０２に切り替わったことを検知すると、第２の紙幣搬送経路を使用して搬送した紙幣の情報を停電中取引情報として記憶部２２１に記憶しておき、停電が解除されると停電中取引情報をホストコンピュータ２へ通知して当該取引を成立させる。
【００３７】
本実施例では、入金処理の動作中に停電の発生を検知した制御部２２０は、カセット部搬送ユニット３０６および収納カセット３０７ａ、３０７ｂ、３０７ｃ、３０７ｄのモータ等のアクチュエータを動作させることなく、入金処理を継続するようにしたことにより、停電が発生していないときの入金処理と比較して消費電力を抑制することができる。
次に、自動取引装置が行う出金処理を図７の実施例における紙幣出金動作を示す説明図に基づいて図２を参照しながら説明する。
まず、自動取引装置１の制御部２２０は、顧客操作部により、表示部に表示された取引画面において出金金額の入力を受け付けるものとする。
【００３８】
出金金額の入力を顧客操作部で受け付けた制御部２２０は、紙幣搬送部２１０により、図７の矢印４１０が示す第１の紙幣搬送経路を使用し、収納カセット３０７ａ、３０７ｂ、３０７ｃ、３０７ｄから出金金額に対応する紙幣を搬出し、カセット部搬送ユニット３０６を経由して紙幣鑑別部搬送ユニット３０２へ搬送する。
このとき、制御部２２０は、紙幣搬送部２１０により、収納カセット３０７ａ、３０７ｂ、３０７ｃ、３０７ｄから搬出された紙幣の搬送状態を図示しないセンサ等の検出手段で確認し、紙幣の搬送状態を検知する。
【００３９】
制御部２２０は、収納カセット３０７ａ、３０７ｂ、３０７ｃ、３０７ｄから搬出された紙幣の搬送状態が正常であるか否かの判定を行い、正常な紙幣であると判定すると紙幣鑑別部搬送ユニット３０２および接客ユニット３００のモータ等を駆動させ、図７の矢印４１０が示す第１の紙幣搬送経路を使用し、接客口３０１へ搬送する。なお、制御部２２０は、正常な紙幣でない、すなわち重送等の異常な出金紙幣であると判定するとリジェクト媒体収納庫３０４へ搬送する。
出金金額に対応した金種、枚数の紙幣をすべて接客口３０１へ搬送すると、制御部２２０は、接客口３０１を解放して顧客により出金紙幣が受け取られることを待機し、出金紙幣が受け取られたことをセンサ等により検知すると接客口３０１を閉塞して本処理を終了する。
【００４０】
次に、出金処理中に停電が発生した場合の自動取引装置が行う出金処理を図８の実施例における停電発生時の紙幣出金処理の流れを示すフローチャートの図中Ｓで表すステップにしたがって図２および図９を参照しながら説明する。
Ｓ２１：自動取引装置１の制御部２２０は、出金処理の動作中に停電が発生すると、装置電源１０１による電源供給からバッテリ１０２による電源供給に切り替わったことを検知、または電源部１００より電源装置１０１からバッテリ１０２による電源供給に切り替わった旨の通知を受ける。
【００４１】
Ｓ２２：装置電源１０１による電源供給からバッテリ１０２による電源供給に切り替わったことを検知または通知を受けた制御部２２０は、接客口３０１に出金金額に対応するすべての紙幣（取引金額の全額）を搬送したか否かを判定し、すべての紙幣を接客口３０１へ搬送したと判定すると処理をＳ２６へ移行し、すべての紙幣を接客口３０１へ搬送していないと判定すると処理をＳ２３へ移行する。なお、接客口３０１へ出金金額に対応する紙幣を搬送したか否かは、例えば金種別に紙幣を収納した各収納カセットから、紙幣の搬送状態が正常な紙幣の枚数を計数するとともに、搬送経路上に紙幣が残留していないことをセンサ等で検出するようにすればよい。
【００４２】
Ｓ２３：接客口３０１に出金金額に対応するすべての紙幣（取引金額の全額）を搬送していないと判定した制御部２２０は、紙幣鑑別部搬送ユニット３０２の切替ブレードを切り替えて紙幣が取り忘れ媒体収納庫３０５へ搬送されるようにした後、残りの紙幣（残金の紙幣）を紙幣搬送部２１０により、図９の矢印４１１が示す第２の紙幣搬送経路を使用し、収納カセット３０７ａ、３０７ｂ、３０７ｃ、３０７ｄから残金額に対応する紙幣を搬出し、カセット部搬送ユニット３０６を経由して紙幣鑑別部搬送ユニット３０２へ搬送する。
【００４３】
ここで、制御部２２０は、紙幣の鑑別結果に関わらずすべての紙幣を紙幣鑑別部搬送ユニット３０２により取り忘れ媒体収納庫３０５へ搬送する。このとき、制御部２２０は、接客ユニット３００のモータ等のアクチュエータを動作させることなく、停止させる。
Ｓ２４：制御部２２０は、接客口３０１へ搬送した紙幣の金額と、取り忘れ媒体収納庫３０５へ搬送した紙幣の金額とを合計し、その合計金額が出金金額に達したか否かを判定し、達したと判定すると処理をＳ２５へ移行し、達していないと判定すると処理をＳ２３へ移行する。
【００４４】
Ｓ２５：制御部２２０は、紙幣の搬送状態を検出するセンサ等で正常・異常と判断した結果である正常紙幣情報、異常紙幣情報を停電中取引情報として記憶部２２１に記憶する。この停電中取引情報は、停電により自動取引装置１がホストコンピュータ２と通信できないときに記憶部２２１に保存される情報であり、停電が復旧した後、ホストコンピュータ２へ送信し、ホストコンピュータ２の取引データと整合させるためのものである。
Ｓ２６：制御部２２０は、顧客操作部の表示部に停電が発生した旨の文言とともに、“出金された紙幣を受け取るためには係員に問合せが必要です。受け取りますか？”等の文言により出金紙幣を受け取るか否かを選択させる画面を表示し、顧客による「出金紙幣を受け取らない」の選択操作を受け付けると処理をＳ２７へ移行し、顧客による「出金紙幣を受け取る」の選択操作を受け付けると処理をＳ２８へ移行する。
【００４５】
Ｓ２７：「出金紙幣を受け取らない」の選択操作を受け付けた制御部２２０は、出金取引が完了しないとして記憶部２２１に記憶した停電中取引情報を破棄（消去）し、出金取引を中止して本処理を終了する。
Ｓ２８：「出金紙幣を受け取る」の選択操作を受け付けた制御部２２０は、係員を呼び出す処理を行う。係員により、出金金額に相当する紙幣として、接客口３０１に搬送されたすべての紙幣と、取り忘れ媒体収納庫３０５へ搬送された紙幣とが取り出され、取り出されたすべての紙幣が顧客に渡されると出金取引が完了し、本処理を終了する。
【００４６】
なお、停電により自動取引装置１がホストコンピュータ２と通信できなかったときは、記憶部２２１に記憶していた停電中取引情報をホストコンピュータ２に送信する処理を行う。すなわち、制御部２２０は、停電が復旧してホストコンピュータ２との通信が再開されると、バッテリ１０２の電源供給から装置電源１０１の電源供給に切り替わったことを検知、またはバッテリ１０２から電源部１００の電源供給に切り替わった旨の通知を受けることで、ホストコンピュータ２との通信を再開し、記憶部２２１に記憶した停電中取引情報に基づいてホストコンピュータ２に記憶されている取引情報を更新し、当該取引を成立させる。すなわち、制御部２２０は、取引中に電源部１００がバッテリ１０２に切り替わったことを検知すると、第２の紙幣搬送経路を使用して搬送した紙幣の情報を停電中取引情報として記憶部２２１に記憶しておき、停電が解除されると停電中取引情報をホストコンピュータ２へ通知して当該取引を成立させる。
【００４７】
このように、制御部２２０は、入出金処理中に停電の発生を検知すると、第１の紙幣搬送経路から、第１の紙幣搬送経路よりアクチュエータの数が少ない第２の紙幣搬送経路に切り替えるようにしたことにより、動作させるアクチュエータ数を最小限に抑えることができ、バッテリの消費電力量を抑制し、停電時において長時間にわたる入出金処理を継続することができる。
【００４８】
以上説明したように、本実施例では、制御部が入出金処理中に停電が発生したことを検知すると、第１の紙幣搬送経路から、第１の紙幣搬送経路よりアクチュエータの数が少ない第２の紙幣搬送経路に切り替えるようにしたことにより、動作させるアクチュエータ数を最小限に抑えることができ、バッテリの消費電力量を抑制し、停電時において長時間にわたる入出金処理を継続することができるという効果が得られる。
なお、本実施例では、入金処理および出金処理の例で説明したが、それに限られることなく、入金紙幣の返却処理などの紙幣を搬送する処理において、制御部が第１の紙幣搬送経路から、第１の紙幣搬送経路よりアクチュエータの数が少ない第２の紙幣搬送経路に切り替えるようにしてバッテリの消費電力量を抑制するようにしても良い。
【００４９】
また、本実施例では、入金処理時に停電が発生した場合、第２の搬送経路をリジェクト媒体収納庫へ紙幣を搬送する経路として説明したが、それに限られることなく、第１の紙幣搬送経路よりアクチュエータの数が少ない経路であれば他の収納庫へ紙幣を搬送する経路としても良い。
また、出金処理におけるＳ２７の後、接客口３０１に搬送された出金紙幣は停電復旧まで接客口３０１に保留しておき、停電が復旧した後に紙幣鑑別部３０３で紙幣を鑑別し、その鑑別結果に基づいて各収納カセットまたはリジェクト媒体収納庫３０４に収納するようにしてもよい。このようにすることで、接客口３０１に残留していた紙幣が停電の復旧に伴い、各収納カセットまたはリジェクト媒体収納庫３０４に収納されるため、迅速に取引を再開することができる。
【００５０】
また、バッテリ１０２の電力残量に余裕がある場合、出金処理におけるＳ２７の後、入金処理におけるＳ１５の処理を行って接客口３０１の紙幣をすべてリジェクト媒体収納庫３０４に収納するようにしてもよい。このようにすることで、停電中に接客口３０１のシャッタがこじ開けられる等により不正に出金紙幣を取り出されることを防止するとともに、停電の復旧後に迅速に取引を再開することができる。
さらに、本実施例では、リジェクト媒体収納庫にアクチュエータを備えていない構成として説明したが、それに限られることなく、停電発生時にリジェクト媒体収納庫のアクチュエータを動作させないようにすれば、アクチュエータを備えた構成であっても良い。
【符号の説明】
【００５１】
１    自動取引装置
１００  電源部
１０１  装置電源
１０２  バッテリ
２００  紙幣入出金ユニット
２１０  紙幣搬送部
２２０  制御部
２２１  記憶部
３００  接客ユニット
３００ａ、３０２ａ、３０６ａ  紙幣搬送路
３０１  接客口
３０２  紙幣鑑別部搬送ユニット
３０３  紙幣鑑別部
３０４  リジェクト媒体収納庫
３０５  取り忘れ媒体収納庫
３０６  カセット部搬送ユニット
３０７ａ、３０７ｂ、３０７ｃ、３０７ｄ  収納カセット
４００、４１０  第１の紙幣搬送経路
４０１、４１１  第２の紙幣搬送経路
【図１】
2014096073.tif 000003
【図２】
2014096073.tif 000004
【図３】
2014096073.tif 000005
【図４】
2014096073.tif 000006
【図５】
2014096073.tif 000007
【図６】
2014096073.tif 000008
【図７】
2014096073.tif 000009
【図８】
2014096073.tif 000010
【図９】
2014096073.tif 000011